(57)【要約】【課題】スライダ本体側の上下の転動体転動溝とエンドキャップ側の方向転換路との位置決め精度を高めて転動体のスムースな循環を確保する。【解決手段】案内レール５１側の転動体転動溝５３と該転動体転動溝５３に対向するスライダ本体５２Ａ側の転動体転動溝５５とが片側上下二条列で合計４条列とされた直動案内軸受装置５０において、前記スライダ本体５２Ａの下側の転動体転動溝５５の下方に凹部６０を設けると共に、該スライダ本体５２Ａの端面に固定されるエンドキャップ５９に前記凹部６０に係合して該エンドキャップ５９の位置決めをなす突起６１を設ける。【選択図】      図１
2004316700.tif 000002
【特許請求の範囲】
【請求項１】
両側部に軸方向に延びる転動体転動溝を有して軸方向に延長された案内レールと、該案内レールの前記転動体転動溝に対向する転動体転動溝を有し、これらの両転動体転動溝間に挿入された転動体の転動を介して軸方向に沿って相対移動可能に前記案内レールに跨架されたスライダとを備え、前記スライダは、前記転動体転動溝及び軸方向に貫通する転動体通路が設けられたスライダ本体と、前記両転動体転動溝間と前記転動体通路とを連通する湾曲状の方向転換路を有して前記スライダ本体の軸方向の両端面に固定された一対のエンドキャップとを具備し、更に、前記両転動体転動溝が片側上下二条列で合計４条列とされると共に前記転動体通路が片側上下二つずつで合計４つとされた直動案内軸受装置であって、
前記スライダ本体の下側の前記転動体転動溝の下方に凹部を設けると共に、前記エンドキャップに前記凹部に係合して該エンドキャップの位置決めをなす突起を設けたことを特徴とする直動案内軸受装置。
【請求項２】
前記凹部を前記スライダ本体の前記転動体転動溝と同時に軸方向に研削加工したことを特徴とする請求項１記載の直動案内軸受装置。
【発明の詳細な説明】
【０００１】
【発明の属する技術分野】
本発明は、例えば産業機械分野等に用いられる直動案内軸受装置に関する。
【０００２】
【従来の技術】
従来のこの種の直動案内軸受装置としては、例えば図５に示すように、軸方向に延びる案内レール１と、該案内レール１上に軸方向に相対移動可能に跨架されたスライダ２とを備えたものが知られている。
案内レール１の両側面にはそれぞれ軸方向に延びる転動体転動溝３が片側上下二条列ずつ、合計４条列形成されており、スライダ２のスライダ本体２Ａには、その両袖部４の内側面に、それぞれ転動体転動溝３に対向する転動体転動溝３１が形成されている。
【０００３】
そして、これらの向き合った両転動体転動溝３，３１の間には転動体としての多数のボールＢが転動自在に装填され、このボールＢの転動を介してスライダ２が案内レール１上を軸方向に沿って相対移動できるようになっている。
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
【０００４】
このため、スライダ本体２Ａの袖部４内に軸方向に貫通する片側上下二つ（合計４つ）の転動体通路８を形成すると共に、スライダ本体２Ａの前後両端にそれぞれエンドキャップ５を例えばねじ１２等を介して固定し、このエンドキャップ５に上記両転動体転動溝３，３１間と上記転動体通路８とを連通する半円弧状に湾曲した方向転換路６を形成することにより、転動体無限循環軌道を構成している。なお、図において符号１０はスライダ本体２Ａの端面にエンドキャップ５をねじ止め固定するためのタップ穴、１１はサイドシール、１３はエンドキャップの側面や端面等に設けられる給脂用ニップルである。
【０００５】
ところで、エンドキャップ５をスライダ本体２Ａの端面に固定する際には、両転動体転動溝３，３１間及び転動体通路８とエンドキャップ５側の方向転換路６との位置合わせがボールＢのスムースな循環を確保する上で重要になることから、従来においては、図６及び図７に示すように、スライダ本体２Ａの上下二列の転動体転動溝３１の間に該転動体転動溝３１と平行な位置決め溝３２を転動体転動溝３１と同時に軸方向に沿って研削加工し、エンドキャップ５には、図８に示すように、前記位置決め溝３２に係合する突起３３を設けて該突起３３を前記位置決め溝３２に嵌め込むことで該エンドキャップ５の位置決めを行っている（例えば特許文献１参照）。
【０００６】
【特許文献１】
特開２００２−１３９０３５号公報
【０００７】
【発明が解決しようとする課題】
上記従来の直動案内軸受装置においては、スライダ２を案内レール１に挿入にすることによるスライダ本体２Ａの開き変形と熱処理による変形が生じた場合、一般的に、断面コ字形のスライダ本体２Ａは上面の中心が回転中心となって袖部４が幅方向外側に開くように変形し、この変形は袖部４の下端側に向かうにつれて大きくなる。
【０００８】
従って、上記のように、スライダ本体２Ａの上下二列の転動体転動溝３１の間に位置決め溝３２を設けてこれをエンドキャップ５の位置決め基準とすると、エンドキャップ５の位置決め基準より下端側の部分の変形がスライダ本体２Ａの変形に追従しなくなり、変形率の大きいスライダ本体２Ａの下側の転動体転動溝３１と方向転換路６との位置決め精度が悪化してボールＢの循環に悪影響を及ぼす虞れがある。
【０００９】
本発明はこのような不都合を解消するためになされたものであり、スライダ本体側の上下の転動体転動溝とエンドキャップ側の方向転換路との位置決め精度を高めることで、転動体のスムースな循環を確保して作動性の向上を図ることができる直動案内軸受装置を提供することを目的とする。
【００１０】
【課題を解決するための手段】
上記目的を達成するために、請求項１に係る発明は、両側部に軸方向に延びる転動体転動溝を有して軸方向に延長された案内レールと、該案内レールの前記転動体転動溝に対向する転動体転動溝を有し、これらの両転動体転動溝間に挿入された転動体の転動を介して軸方向に沿って相対移動可能に前記案内レールに跨架されたスライダとを備え、前記スライダは、前記転動体転動溝及び軸方向に貫通する転動体通路が設けられたスライダ本体と、前記両転動体転動溝間と前記転動体通路とを連通する湾曲状の方向転換路を有して前記スライダ本体の軸方向の両端面に固定された一対のエンドキャップとを具備し、更に、前記両転動体転動溝が片側上下二条列で合計４条列とされると共に前記転動体通路が片側上下二つずつで合計４つとされた直動案内軸受装置であって、
前記スライダ本体の下側の前記転動体転動溝の下方に凹部を設けると共に、前記エンドキャップに前記凹部に係合して該エンドキャップの位置決めをなす突起を設けたことを特徴とする。
【００１１】
請求項２に係る発明は、請求項１において、前記凹部を前記スライダ本体の前記転動体転動溝と同時に軸方向に研削加工したことを特徴とする。
【００１２】
【発明の実施の形態】
以下、本発明の実施の形態の一例を図を参照して説明する。図１は本発明の実施の形態の一例である直動案内軸受装置を説明するための一部を切り欠いた図、図２はスライダ本体とエンドキャップとの分解斜視図、図３はスライダ本体とエンドキャップの変形を説明するための斜視図、図４はスライダ本体の変形を説明するための説明図である。
【００１３】
本発明の実施の形態の一例である直動案内軸受装置５０は、図１に示すように、軸方向に延びる案内レール５１と、該案内レール５１上に軸方向に相対移動可能に跨架されたスライダ５２とを備えている。
案内レール５１の幅方向の両側面にはそれぞれ軸方向に延びる転動体転動溝５３が片側上下二条列ずつ、合計４条列形成されており、スライダ５２のスライダ本体５２Ａには、その両袖部５４の内側面にそれぞれ転動体転動溝５３に対向する転動体転動溝５５が形成されている。
【００１４】
両転動体転動溝５３，５５の間には転動体としての多数のころ５６が転動自在に装填され、これらのころ５６の転動を介してスライダ５２が案内レール５１上を軸方向に沿って相対移動できるようになっている。この移動につれて、案内レール５１とスライダ５２との間に介在するころ５６は転動してスライダ５２の軸方向の端部に移動するが、スライダ５２を軸方向に継続移動させていくためには、これらのころ５６を無限に循環させる必要がある。
【００１５】
このため、スライダ本体５２Ａの両側の袖部５４内にそれぞれ軸方向に貫通する上下二つ（合計４つ）の孔５７を形成して該孔５７に内部がころ５６の通路（転動体通路）５８ａとされた循環チューブ５８を嵌め込むと共に、スライダ本体５２Ａの軸方向の両端にそれぞれ転動体循環部品としての一対のエンドキャップ５９をねじ等を介して固定し、このエンドキャップ５９に上記両転動体転動溝５３，５５間と上記転動体通路５８ａとを連通する半円弧状に湾曲した方向転換路（図示せず）を形成することにより、ころ５６の無限循環軌道を形成している。
【００１６】
なお、エンドキャップ５９に設けられた方向転換路は、この実施の形態では転動体としてころ５６を用いているため、上側の転動体通路５８ａと下側の両転動体転動溝５３，５５間とを連通するものと、下側の転動体通路５８ａと上側の両転動体転動溝５３，５５間とを連通するものを備えている。
ここで、この実施の形態では、図１及び図２に示すように、スライダ本体５２Ａの下側の転動体転動溝５５の下方に該転動体転動溝５５と同時に軸方向に研削加工された断面Ｖ形状の位置決め溝（凹部）６０を転動体転動溝５５と平行に設けると共に、エンドキャップ５９に前記位置決め溝６０に係合するＶ形状の突起６１を設けて、該突起６１を前記位置決め溝６０に嵌め込むことで該エンドキャップ５９の位置決めを行い、これにより、両転動体転動溝５３，５５間及び転動体通路５８ａとエンドキャップ５９側の方向転換路との位置合わせをしている。
【００１７】
このようにこの実施の形態では、スライダ本体５２Ａの下側の転動体転動溝５５の下方にエンドキャップ５９の突起６１が係合する位置決め溝６０を設けているので、スライダ５２を案内レール５１に挿入にすることによるスライダ本体５２Ａの開き変形と熱処理による変形が生じて、図３及び図４に示すように、断面コ字形のスライダ本体５２Ａが上面の中心を回転中心として袖部５４が幅方向外側に開くように変形しても、スライダ本体５２Ａの袖部５４の下端側の変形に追従してエンドキャップ５９が変形することになる。この場合、エンドキャップ５９は、スライダ本体５２Ａの袖部５４の変形分を加味してエンドキャップ５９の前記袖部５４に対応する部分を多少幅方向外側に開くように成形しておく。
【００１８】
この結果、スライダ本体５２Ａ側の上下の転動体転動溝５５とエンドキャップ５９側の方向転換路との位置決め精度を高めることができ、ころ５６のスムースな循環が確保されて作動性の向上を図ることができる。
なお、本発明の直動案内軸受装置は上記実施の形態に限定されるものではなく、本発明の要旨を逸脱しない範囲において適宜変更可能である。
【００１９】
例えば、上記実施の形態では、転動体としてころ５６を採用した直動案内軸受装置を例に採ったが、これに代えて、転動体としてボールを採用した直動案内軸受装置に本発明を適用してもよい。
また、上記実施の形態では、位置決め溝６０及び突起６１をＶ形状とした場合を例に採ったが、これらの形状は特に限定されるものではなく、適宜変更することが可能である。
【００２０】
【発明の効果】
上記の説明から明らかなように、本発明によれば、スライダ本体側の上下の転動体転動溝とエンドキャップ側の方向転換路との位置決め精度を高めることができるので、転動体のスムースな循環を確保して作動性の向上を図ることができるという効果が得られる。
【図面の簡単な説明】
【図１】本発明の実施の形態の一例である直動案内軸受装置を説明するための一部を切り欠いた図である。
【図２】スライダ本体とエンドキャップとの分解斜視図である。
【図３】スライダ本体とエンドキャップの変形を説明するための斜視図である。
【図４】スライダ本体の変形を説明するための説明図である。
【図５】従来の直動案内軸受装置の一例を説明するための一部を破断した斜視図である。
【図６】スライダ本体への従来の位置決め溝の形成位置を説明するための説明図である。
【図７】図６のＡ−Ａ線断面図である。
【図８】従来の位置決め溝に係合する突起を備えたエンドキャップを示す図である。
【符号の説明】
５０…直動案内軸受装置
５１…案内レール
５２…スライダ
５２Ａ…スライダ本体
５３…転動体転動溝（案内レール側）
５５…転動体転動溝（スライダ側）
５６…ころ（転動体）
５８ａ…転動体通路
５９…エンドキャップ
６０…位置決め溝（凹部）
６１…突起
【図１】
2004316700.tif 000003
【図２】
2004316700.tif 000004
【図３】
2004316700.tif 000005
【図４】
2004316700.tif 000006
【図５】
2004316700.tif 000007
【図６】
2004316700.tif 000008
【図７】
2004316700.tif 000009
【図８】
2004316700.tif 000010